(57)【特許請求の範囲】
【請求項１】
熱交換缶体とこれを加熱するバーナからなる外置式風呂釜と、浴槽水を該熱交換缶体内に循環させるための循環路からなる風呂釜装置において、循環路から浴槽内に温水が流入する浴槽内吹出口、または浴槽内から循環路に冷水が流入する浴槽内吸込口のいずれか、もしくは両者の近傍の循環路に、逆止弁を着脱可能とした構成において、
該逆止弁は、弁体２７・フィルター２８・固定具２９からなり、前記固定具２９はパイプ状に構成し、側面に複数の係合孔２９ａを設け、前記弁体２７は弾性体からなり、略円形に構成して固定具２９の内周の大きさに合わせ、外周上に前記係合孔２９ａに係合する複数の突起２７ａを設け、中心から円周方向に向かって放射状に切り込み２７ｂを入れ、
前記フィルター２８も略円形に構成して固定具２９の内周の大きさに合わせ、外周上に前記係合孔２９ａに係合する複数の突起２８ａを設け、中央部分にはメッシュを付設し、
吸込口用と吹出口とでは、弁体２７、フィルター２８の配置順を逆にして、固定具２９の係合孔２９ａ内に、突起を嵌入し固定することを特徴とする追い焚き循環パイプの湯冷め防止装置。
【発明の詳細な説明】
【０００１】
【発明の属する技術分野】
本発明は、給湯や追い焚きができる外置式風呂釜装置において、水対流によって追い焚き時以外で湯がさめることを防止する技術に関する。
【０００２】
【従来の技術】
従来から浴槽へ給湯と追い焚きのできる風呂釜装置は公知となっている。
図７は、従来の給湯と追い焚きの可能な風呂釜装置の全体図、
図８は、従来の追い焚き専用の風呂釜装置の全体図である。
例えば図７に示すように、風呂用熱交換缶体３に対して浴槽１から循環路９・１０が設けられている。該風呂用熱交換缶体３には開閉弁１１を介して給水管１２と接続され、該開閉弁１１及びバーナ５・７は入切スイッチ１６と接続されている。
そして、風呂給湯時には、水は、給水管１２を通り給湯用熱交換器缶体４内の給湯用熱交換器８に導かれ、そこでバーナ７によって加熱昇温された後、開となっている開閉弁１１を通って風呂用熱交換缶体３内の風呂用熱交換器６に導かれ、そこで更にバーナ５によって加熱された後、上下循環路９・１０を経由して浴槽１内に流入する。
【０００３】
また、バーナ７による温水は、給湯管１３を通って給湯栓１４から浴槽１内に注入したり、あるいはシャワー口１５で使用することもでき、該給湯栓１４及びシャワー口１５には水栓によって上水道と混合できるようにしている。
また、風呂追い焚き時には、開閉弁１１を閉にして風呂用熱交換缶体３内のバーナ５を点火することで、風呂用熱交換器６内で加熱昇温され低比重となった高温水は上昇し、上部循環路１０経由で浴槽１内に吹き出す。このとき、風呂用熱交換器６内は負圧となるため、浴槽１内から下部循環路９を通って風呂用熱交換器６に浴槽水が流入する。この熱対流作用により、浴槽１内の水を循環し昇温せしめるのである。
図８は追い焚き専用の風呂釜装置の例である。熱交換コイル３０内の温水はバーナ５によって加熱昇温された結果、図７の例と同様に循環昇温される。
【０００４】
【発明が解決しようとする課題】
しかしながら、上記の従来装置では、追い焚きを完了すべくバーナ５を消火した後は風呂用熱交換缶体３内の水は外気によって冷やされ、比重が増加して下降流となり、下部循環路９内から浴槽１内に逆流し、追い焚きと逆の対流が発生してせっかく上昇した浴槽１内の水温が低下するという問題があった。
更に、加熱効率のよい機構にすればする程、風呂用熱交換缶体３が外気に冷却されやすいという問題もあった。
【０００５】
また、循環路９・１０の風呂用熱交換缶体３の出入口に逆止弁を設け、追い焚き時には両逆止弁と蒸気水の加熱膨張作用を利用してポンプの役目を果たし強制的に循環昇温させる技術が実開昭５９−４０７５５号に開示されており、この場合は、構造上は追い焚き完了時の浴槽水の逆流は防げるものの、実用上逆止弁へ湯垢が詰まり易く、循環昇温のための対流が生じにくいという問題があった。
【０００６】
【課題を解決するための手段】
本発明は、以上のような課題を解決するために、次のような手段を用いる。
熱交換缶体とこれを加熱するバーナからなる外置式風呂釜と、浴槽水を該熱交換缶体内に循環させるための循環路からなる風呂釜装置において、循環路から浴槽内に温水が流入する浴槽内吹出口、または浴槽内から循環路に冷水が流入する浴槽内吸込口のいずれか、もしくは両者の近傍の循環路に、逆止弁を着脱可能とした構成において、該逆止弁は、弁体２７・フィルター２８・固定具２９からなり、前記固定具２９はパイプ状に構成し、側面に複数の係合孔２９ａを設け、前記弁体２７は弾性体からなり、略円形に構成して固定具２９の内周の大きさに合わせ、外周上に前記係合孔２９ａに係合する複数の突起２７ａを設け、中心から円周方向に向かって放射状に切り込み２７ｂを入れ、前記フィルター２８も略円形に構成して固定具２９の内周の大きさに合わせ、外周上に前記係合孔２９ａに係合する複数の突起２８ａを設け、中央部分にはメッシュを付設し、吸込口用と吹出口とでは、弁体２７、フィルター２８の配置順を逆にして、固定具２９の係合孔２９ａ内に、突起を嵌入し固定するものである。
【０００７】
【発明の実施の形態】
本発明の実施の形態を添付の図面に基づいて説明する。
図１は、本発明に係わる風呂釜装置の全体構成図、
図２は、バルブを付けた風呂釜装置の全体図、
図３は逆止弁の断面図、
図４も、逆止弁の断面図、
図５は、図４の逆止弁の立体分解図であり、
図６は、その側面図である。
【０００８】
図１において、本発明に係わる風呂釜装置の全体構成は、前記従来の給湯と追い焚きのできる風呂釜装置と略同じ構成としている。
本発明は上部循環路１０の浴槽１の内側面に配置した吹出口１８に逆止弁１９を設けている。これにより、吹出口１８から上部循環路１０への浴槽１上部高温水の流入を防止できるため、風呂追い焚きを完了した際に発生する下部循環路９内の加熱昇温前温水の浴槽１への逆流現象を防止することができる。
なお、逆止弁は吸込口１７と吹出口１８近傍に設けるのが好ましい。
【０００９】
前記逆止弁１９の構成は、図３に示すように、上部循環路１０の浴槽側端部には、内面に雌ネジが形成され、この雌ネジに締結座２６が螺装固定される。該締結座２６の表側（浴槽内側）に吹出口金具２４が螺装固定されており、該吹出口金具２４の側面周囲にはメッシュを設けてフィルター２４ａとしている。
そして、吹出口金具２４の表面に吹出口カバー２３をネジにて固定し、吹出口金具２４内の中心には支持軸３１を突出して、該支持軸３１上にバネ２１と弁体２２を外嵌して、該弁体２２は支持軸３１を摺動自在とし、バネ２１の付勢力によって締結座２６の表側を閉じるように付勢している。
但し、バネ２１の付勢力は極弱いものであって、風呂用熱交換缶体３内の風呂用熱交換器６で温められた湯が対流によって流れ出る力より弱くして、追い焚き時には弁体２２が開くようにしている。
【００１０】
このような構成において、追い焚き時にはバーナ５によって風呂用熱交換缶体３内の風呂用熱交換器６で水が温められ、上部循環路１０を通過してきた高温水は、図３（ｂ）に示すように、弁体２２を押して開け、フィルター２４ａを介して、浴槽１の壁と吹出口カバー２３との隙間から、浴槽１内に流入する。
追い焚きを完了しバーナ５を消火すると、上部循環路１０内の水の流れが止まり、図３（ａ）に示すごとく、バネ２１によって弁体２２は締結座２６に押し付けられ吹出口が完全に塞がれるため、逆流現象を完全に防止できる。
また、フィルター２４が湯垢等によって詰まると、吹出口金具２４を外して容易に目詰まりを除去することができるのである。
【００１１】
また、図４、図５、図６において、逆止弁１９の他の実施例を説明する。
逆止弁１９’は弁体２７、フィルター２８、固定具２９及び吐出口金具２５からなり、前記固定具２９はパイプ状に構成して、締結座２６にはめ込むようにし、該締結座２６の外周には雄ネジを形成して下部循環路９・上部循環路１０の端部内面に形成した雌ネジに螺装固定できるようにすると共に、前記締結座２６の表側（浴槽内側）に前記吐出口金具２５が、熱湯の吐出方向を浴槽１の壁方向に変更すべく螺装固定されている。
そして、側面中央に複数の係合孔２９ａを設けている。前記弁体２７はゴムや合成樹脂等の弾性体からなり、略円形に構成して固定具２９の内周の大きさに合わせ、外周上に前記係合孔２９ａに係合する複数の突起２７ａを設け、中心から円周方向に向かって放射状に切り込み２７ｂを入れている。
前記フィルター２８も略円形に構成して固定具２９の内周の大きさに合わせ、外周上に前記係合孔２９ａに係合する複数の突起２８ａを設け、中央部分にはメッシュを付設している。
図４（ｂ）の吸込口用では、弁体２７、フィルター２８の配置順を、図４（ａ）の吹出口用の場合と逆にする。以上のように取り付けが簡単であること、素材費が安いこと、同じ部品を使って吹出口用、吸込口用の逆止弁を組み立てることができるようにしている。
【００１２】
このような構成において、追い焚き時にはバーナ５によって風呂用熱交換缶体３内の風呂用熱交換器６で水が温められ、上部循環路１０を通過してきた高温水は、フィルター２８を介して、図４（ａ）の二点鎖線に示すように、弁体２７を押して開け、浴槽１内に流入し、下部循環路９に設けた逆止弁１９’も同様に開く。
追い焚きを完了しバーナ５を消火すると、上部循環路１０内の水の流れが止まり、弁体２７自体が有する弾性力によって元の状態に戻り吹出口が完全に塞がれ、圧力が逆になった場合は、弁体２７はフィルター２８によって受け止められて、逆流現象を完全に防止できる。
また、フィルター２８が湯垢等によって詰まると、固定具２９を外して容易に目詰まりを除去することができるのである。同様にして逆止弁１９’全体の補修、交換も容易に行えるのである。
【００１３】
次に、下部循環路９及び上部循環路１０に電磁バルブ２０・２０を設けて、入切スイッチで開閉するようにした風呂釜装置について図２より説明する。
前記逆止弁１９の代わりに吸込口１７と吹出口１８近傍にそれぞれバルブ２０・２０を設けている。これらのバルブ２０・２０は、入切スイッチ１６と接続して、該入切スイッチ１６によって、追い焚き中は開とし、バーナ５の消火に同期させて閉とするように制御している。
なお、該バルブ２０は下部循環路９、上部循環路１０のいずれか片方だけにしてもよい。
したがって、入切スイッチ１６をＯＮして追い焚き中は電磁バルブ２０・２０が開き、下部循環路９及び上部循環路１０を介してて浴槽１内の水は温められる。入切スイッチ１６をＯＦＦとしてバーナ５を消火させると電磁バルブ２０・２０は閉じ、下部循環路９及び上部循環路１０内を湯が循環できなくなり、対流することがなく浴槽１内の湯が冷める速度を早めることがない。
【００１４】
【発明の効果】
本発明は以上のように構成したので、次のような効果を奏する。
即ち、循環路から浴槽内に温水が流入する浴槽内吹出口または浴槽内から循環路に冷水が流入する浴槽内吸込口のいずれか、もしくは両者の近傍の循環路に、逆止弁とフィルターを一体的に着脱可能に設けたので、逆止弁によって追い焚き時以外の時に、屋外で冷やされた水が浴槽内に入ることがなく、対流によって浴槽内の水を冷やすことをなくすことができたのである。
また、逆止弁とフィルターを一体的に着脱可能としたので、湯垢等で詰まっても容易に外して清掃したり交換したりできるようになり、保守管理が容易に行えるようになったのである。
また、取り付けが簡単であること、素材費が安いこと、同じ部品を使って吹出口用、吸込口用の逆止弁を組み立てることができるようにしている。
【図面の簡単な説明】
【図１】本発明に係わる逆止弁を付けた風呂釜装置の全体図。
【図２】バルブを付けた風呂釜装置の全体図。
【図３】逆止弁およびその取り付け部の断面図。
【図４】簡易タイプの逆止弁およびその取り付け部の断面図。
【図５】簡易タイプの逆止弁の立体分解図。
【図６】簡易タイプの逆止弁の側面図。
【図７】従来の給湯と追い焚きの可能な風呂釜装置の全体図。
【図８】従来の追い焚き専用の風呂釜装置の全体図。
【符号の説明】
２  外置式風呂釜
９  下部循環路
１０  上部循環路
１７  吸込口
１８  吹出口
１９  逆止弁
２０  バルブ
【図１】
0003553339.tif 000002
【図２】
0003553339.tif 000003
【図３】
0003553339.tif 000004
【図４】
0003553339.tif 000005
【図５】
0003553339.tif 000006
【図６】
0003553339.tif 000007
【図７】
0003553339.tif 000008
【図８】
0003553339.tif 000009